(57)【要約】      （修正有）【課題】雨に身体の一部特に背中が濡れにくい傘を提供する。【構成】傘生地が、それを拡げたときの傘生地の平面形状を半円と前記半円の直径と同じ長さの短軸からなる半楕円の形状とを直径と短軸とが向き合うように組み合わせた形状となるように形成され、平面形状のうち半楕円の短軸と長軸の交点に中棒が配置された傘を提供する。これにより、傘を単純に大型化することによって生じる取り扱いの不便さを回避しつつ、傘を自然に持った場合においても身体の一部、特に背中の部分が濡れにくく、なおかつ従来の傘と変わらない美しい形状の傘を提供できる。【選択図】図２
0003136850.tif 000002
【実用新案登録請求の範囲】
【請求項１】
少なくとも１６本以上の親骨と、傘生地と、中棒と、石突と、受骨と、手元とを有する傘において、前記傘生地を拡げたときの平面形状が半円と前記半円の直径と同じ長さの短軸からなる半楕円の形状とを、前記直径と前記短軸とが向き合うように組み合わせた形状からなることを特徴とする傘。
【請求項２】
前記傘生地を拡げたときの平面形状のうち、前記半楕円の短軸と長軸の交点に中棒が配置され、前記傘生地を拡げたときの平面形状の長手方向の長さは、前記中棒を中心にして第１の長さと第２の長さからなり、前記第１の長さと前記第２の長さの割合がほぼ１５対１１であることを特徴とする請求項１に記載の傘。
【請求項３】
前記傘生地を拡げたときの平面形状のうち、前記半楕円の短軸と長軸の交点に中棒が配置され、前記傘生地を拡げたときの平面形状の長手方向の長さは、前記中棒を中心にして第１の長さと第２の長さからなり、前記第１の長さと前記第２の長さの割合が、１５対１１から１６対１１であることを特徴とする請求項１に記載の傘。
【請求項４】
前記傘生地を拡げたときの平面形状のうち、前記半楕円の短軸と長軸の交点に中棒が配置され、前記傘生地を拡げたときの平面形状の長手方向の長さは、前記中棒を中心にして第１の長さと第２の長さからなり、前記第１の長さがほぼ７５ｃｍであり、前記第２の長さがほぼ５５ｃｍであって、石突１の先端から手元７の最も石突から離れている点までの長さがほぼ９２．５ｃｍであることを特徴とする請求項１に記載の傘。
【請求項５】
前記傘生地を拡げたときの平面形状のうち、前記半楕円の短軸と長軸の交点に中棒が配置され、前記傘生地を拡げたときの平面形状の長手方向の長さは、前記中棒を中心にして第１の長さと第２の長さからなり、前記第１の長さが７５ｃｍ以上８０ｃｍ以下であり、前記第２の長さが６０ｃｍ以上５５ｃｍ以下であって、石突と中棒と手元の最も石突から離れている点までの長さの合計が、９２．５ｃｍ以上１０２．５ｃｍ以下であることを特徴とする請求項１に記載の傘。
【請求項６】
前記手元が前記傘生地のうち前記半円の形状を有している方向に突出していることを特徴とする請求項１に記載の傘。  
【請求項７】
前記手元が前記第２の長さの方向に突出していることを特徴とする請求項２ないし５のいずれかに記載の傘。  
【請求項８】
前記親骨および／または前記受骨が繊維強化樹脂からなることを特徴とする請求項１ないし７のいずれかに記載の傘。
【考案の詳細な説明】
【技術分野】
【０００１】
本考案は、傘に関する。特に、傘を開いたときの傘生地の形状に関する。
【背景技術】
【０００２】
傘をさしたとき、肘下の長さ分程度身体の中心から離れて傘を持つことになるため、従来のほとんどの傘は傘生地が円形で、且つ中棒が傘生地の中心に配置されているので、傘生地が身体をカバーする配分は、前方は大きく、後方は小さくなってしまう。
【０００３】
したがって、前述のように傘を自然な状態で持った場合、傘生地が身体の背中の部分もカバーするのに十分なほど傘生地が大きくないと身体の一部、特に背中の一部が雨に濡れてしまうという不都合な問題があった。
【０００４】
一方、傘全体の大きさ、特に傘生地の面積を単純に大きくすれば、どのように傘を持っても身体が濡れないようにできるであろうが、その分、傘の重量が増加し、傘をさすのにも、持ち運ぶにも不便である。さらに、傘生地の面積が大きくなればなるほど、風にあおられる面積が逓増する関係で、同じ強度の骨組の傘であっても相対的に風に対して弱くなってしまう。また、傘をさしたときに、傘の横幅が広くなるため、他の通行の迷惑になるという問題もあった。
【考案の開示】
【考案が解決しようとする課題】
【０００５】
本考案は、傘全体を大型化することなく、傘を自然に持った場合においても身体の一部、特に背中の部分が傘生地によって十分にカバーされることを可能とし、なおかつ、軽くて、風にも強く、他の通行の迷惑にもならない傘を提供することにある。
【０００６】
さらに本考案は、前述の作用効果を有しつつも従来の傘の形状とほぼ同様の美しい形状の傘を提供することにある。
【課題を解決するための手段】
【０００７】
上記課題を達成するため、本考案の請求項１においては、少なくとも１６本以上の親骨と、傘生地と、中棒と、石突と、受骨と、手元とを有する傘において、傘生地を拡げたときの平面形状が、半円と前記半円の直径と同じ長さの短軸からなる半楕円の形状とを、直径と短軸とが向き合うように組み合わせた形状からなることを特徴とする傘が提供される。    
【０００８】
また、本考案の請求項２においては、傘生地を拡げたときの平面形状のうち半楕円の短軸と長軸の交点に中棒が配置され、傘生地を拡げたときの平面形状の長手方向の長さは、中棒を中心にして第１の長さと第２の長さからなり、第１の長さと第２の長さの割合が、ほぼ１５対１１であることを特徴とする請求項１に記載の傘が提供される。
【０００９】
また、本考案の請求項３においては、傘生地を拡げたときの平面形状のうち、前記半楕円の短軸と長軸の交点に中棒が配置され、傘生地を拡げたときの平面形状の長手方向の長さは、中棒を中心にして第１の長さと第２の長さからなり、第１の長さと第２の長さの割合が、１５対１１から１６対１１であることを特徴とする請求項１に記載の傘が提供される。
【００１０】
また、本考案の請求項４においては、傘生地を拡げたときの平面形状のうち、前記半楕円の短軸と長軸の交点に中棒が配置され、傘生地を拡げたときの平面形状の長手方向の長さは、中棒を中心にして第１の長さと第２の長さからなり、第１の長さがほぼ７５ｃｍであり、第２の長さがほぼ５５ｃｍであって、石突１の先端から手元７の最も石突から離れている点までの長さは、ほぼ９２．５ｃｍであることを特徴とする請求項１に記載の傘が提供される。
【００１１】
また、本考案の請求項５においては、傘生地を拡げたときの平面形状のうち、半楕円の短軸と長軸の交点に中棒が配置され、傘生地を拡げたときの平面形状の長手方向の長さは、中棒を中心にして第１の長さと第２の長さからなり、第１の長さが７５ｃｍ以上８０ｃｍ以下であり、第２の長さが６０ｃｍ以上５５ｃｍ以下であって、石突と中棒と手元の最も石突から離れている点までの長さの合計が、９２．５ｃｍ以上１０２．５ｃｍ以下であることを特徴とする請求項１に記載の傘が提供される。
【００１２】
また、本考案の請求項６においては、手元が傘生地のうち半円の形状を有している方向に突出していることを特徴とする請求項１に記載の傘が提供され、請求項７においては、手元が第２の長さの方向に突出していることを特徴とする請求項２ないし５のいずれかに記載の傘が提供される。
【００１３】
また、本考案の請求項８においては、親骨および／または受骨が繊維強化樹脂からなることを特徴とする請求項１ないし７のいずれかに記載の傘が提供される。
【考案の効果】
【００１４】
本考案の一実施形態によれば、人が傘を自然に持った状態でも身体の一部、特に背中の部分を濡らすことのない傘を、傘全体を大型化することなく提供できるため、傘全体を大きくすることによって身体が雨に濡れないようにする傘よりも、相対的に重量が軽くてさしやすい傘を提供することが可能となる。また、傘の横方向の幅は縦方向の幅に比べて短いため、傘をさしたときに傘全体を大きくする傘に比べて他の通行人の迷惑にならない。
【００１５】
さらに、傘の骨が少なくとも１６本以上のため、多少の突風が吹いても、傘生地があおられてひっくり返ることのない程度の十分な強度を有することが可能となる。さらに、傘の骨が少なくとも１６本以上とすると、本考案による傘生地は、一般的な傘生地の円形の形状と異なり、傘生地を拡げたときの平面形状が、半円と前記半円の直径と同じ長さの短軸からなる半楕円の形状とを、直径と短軸とが向き合うように組み合わせた形状からなり、一般的な形状の傘生地とは異なる形状であっても、傘を拡げたときの形状が一般的な傘と同様の丸みのある美しい形状を確保することが可能となる。
【００１６】
さらに、石突の先端から手元の最も石突から離れた点までの長さを標準的な体型の人が持ち運びしやすい長さに抑えることが可能となる。
【００１７】
さらに、親骨および／または受骨が繊維強化樹脂からなるため、丈夫で軽い傘を提供することが可能となる。
【考案を実施するための最良の形態】
【００１８】
以下、本考案の一実施形態に係る傘について、図面を参照しながら詳細に説明する。
【００１９】
なお、実施形態においては、本考案にかかる傘の一例を示しており、本考案は、それらの実施形態に限定されるわけではない。
【００２０】
図面に付した符号は、共通する概念を有するものについては同一の符号を付している。
【００２１】
図１および図２にもとづいて本考案の一実施形態にかかる傘１０について説明する。
【００２２】
図１は、本考案の一実施形態にかかる傘１０の左側面図である。
【００２３】
図２は、本考案の一実施形態にかかる傘１０の傘生地を拡げた状態を傘の内側からみた平面図である。
【００２４】
傘１０は、少なくとも１６本以上の親骨１１と、傘生地３と、中棒５と、石突１と、受骨１３と、手元７と、下ハジキ９と、上ハジキ（図示せず）と上ロクロ１５と、下ロクロ（図示せず）と、露先１７から構成される。
【００２５】
本実施例における手元７は、Ｊ字型であるが、手元７の形状はＬ字型などこれに限られない。
【００２６】
傘１０は、中棒５の所定の上方位置と下方位置にそれぞれ上ハジキと下ハジキ９が出没自在に設けられ、下ロクロが中棒５に沿って上方に移動して所定の上方位置に達すると下ロクロが上ハジキを乗り越えてこれと係合して傘が開かれた状態となる。傘１０を閉じた状態は、上ハジキを中棒５内に押し込めて下ロクロと係合させることによって達成される。
【００２７】
このように、本実施形態における傘１０は、その開閉が手動式のものが開示されているが、バネなどの付勢手段を利用して、ハジキボタンを操作するだけで自動的に傘が開くように構成されたいわゆるジャンプ式傘でもよい。
【００２８】
中棒５は、傘生地３を拡げたときの平面形状のうち前記半楕円の短軸と長軸の交点に配置する。
【００２９】
傘生地３は、それを拡げたときの平面形状が半円と前記半円の直径と同じ長さの短軸からなる半楕円の形状とを直径と短軸とが向き合うように組み合わせた形状となるように形成する。
【００３０】
傘生地を拡げたときの平面形状の長手方向の長さは中棒５を中心にして第１の長さと第２の長さの割合が１５対１１から１６対１１であることが望ましい。第１の長さと第２の長さの割合が１５対１１より小さいと、傘生地が身体の一部、特に背中の部分を十分にカバーできなくなってしまうおそれが生じる。一方、第１の長さと第２の長さの割合が１６対１１よりも大きくなると、傘生地の形状が従来の傘生地の形状とほぼ同様の美しい形状とは異なる形状になってしまうためである。
【００３１】
より具体的には、第１の長さはほぼ７５ｃｍであって、第２の長さはほぼ５５ｃｍであることが望ましい。ここにおけるほぼとは、それぞれ２ｃｍの誤差を含むという意味である。傘生地を拡げたときの第１の長さおよび第２の長さをこのように構成することは、第１の長さと第２の長さの割合（身体の一部特に背中の部分を十分にカバーできるという観点、及び傘生地の形状の美しさの観点）および傘生地の大きさに起因する傘全体の重量および取扱いの利便性の観点から望ましい。
【００３２】
傘生地３は、例えば、ナイロンなどの合成樹脂製の生地で形成される。雨などの水分が傘生地に浸透しないように、傘生地３の表面には撥水処理が施されてもよい。
【００３３】
傘生地３は、親骨１１に随所において縫製などで係止めされる。
【００３４】
また、傘生地３の縁部１９は、糸を通す貫通穴が設けられた露先１７にナイロン製などの糸を用いて係止される。
【００３５】
受骨１３は、親骨１１ａの長さのほぼ半分の長さより長く形成することが望ましい。より具体的には、受骨１３は、親骨１１ａの長さのほぼ半分強の長さで形成するとよい。このように構成することによって、傘１０を拡げたときにおける、傘１０の石突１と中棒５が傘生地を突き抜ける点から露先１７までの曲線を図１もしくは図３ないし図５に示すようになめらかな丸みをおびたものとすることが可能となる。
【００３６】
親骨１１及び受骨１３は、スチール材から構成されてもよいが、繊維強化樹脂から構成されることが望ましい。親骨１１及び受骨１３を繊維強化樹脂で形成した場合、親骨１１及び受骨１３をスチール材によって形成された傘に比べて丈夫で軽い傘をつくることが可能となる。
【００３７】
補強繊維としては、炭素繊維、ガラス繊維、アラミド繊維、ポリエチレン繊維などの長繊維（フィラメント）を用いるのが望ましい。これらの長繊維は単独で使用してもよいし、あるいは２種類以上を組み合わせたハイブリッドにしてもよい。
【００３８】
また、上記繊維強化樹脂に使用する樹脂としては、エポキシ樹脂、不飽和ポリエステル樹脂、フェノール樹脂などの熱硬化製樹脂、ナイロン、ポリプロピレンなどの熱可塑性樹脂などを用いることが望ましい。
【００３９】
手元７は、中棒５の一端部に形成されるが、第２の長さの方向に突出させる。このように手元７を突出させることによって、人が傘１０を持ったときに、傘生地３のうち中棒５を中心にして露先１７までの長さが最も長い方を傘の持ち手の背中方向にして持つことが容易になる。
【００４０】
石突１から手元７の最も石突から離れている点７ａまでの長さはほぼ９２．５ｃｍで構成することが望ましい。ここにおけるほぼとは、２ｃｍの誤差を含むという意味である。この石突１の長さは、３ｃｍ程度にするとよい。
【００４１】
図６は、傘生地３を中棒１０に巻きつけて傘１０を閉じた状態を示す図であるが、石突１の先端から手元７の最も石突から離れている点７ａまでの長さの合計をほぼ９２．５ｃｍで構成した場合、傘生地を中棒５に巻きつけたときに傘生地のうち中棒を中心にして最も長さが長い部分も中棒に巻きつけることが可能となる。
【００４２】
また、傘を手に持ったときにも傘全体の長さが長すぎて邪魔になることはない長さである。
【００４３】
図７は、傘１０を拡げた状態で傘の外側から見た平面図である。傘生地を中棒５に巻きつけた状態を維持するために、傘生地には閉じひも２１が設けられる。
【００４４】
閉じひも２１は、親骨の長さが最も長いところに対応する傘生地の表面に形成することが望ましい。このように閉じひもを設けることによって、中棒５を中心にして、傘生地３の露先１７までの長さが短い部分を長い部分がくるむようにして、傘生地３を中棒５に巻きつけてその状態を閉じひもによって維持することが可能となる。
【００４５】
以上のとおり、本考案の傘の一実施例を説明したが、本考案による傘はこれに限定されるものではない。
【図面の簡単な説明】
【００４６】
【図１】本発明の実施形態にかかる傘の左側面図である。
【図２】本発明の実施形態にかかる傘を拡げた状態で傘の内側からみた平面図開いた例を表した図である。
【図３】本発明の実施形態にかかる傘の背面図である。
【図４】本発明の実施形態にかかる傘の斜視図である。
【図５】本発明の実施形態にかかる傘の正面図である。
【図６】本発明の実施形態にかかる傘を閉じた状態を示す図である。
【図７】本発明の実施形態にかかる傘を傘の外側からみた平面図である。
【符号の説明】
【００４７】
１  石突
３  傘生地
５  中棒
７  手元
９  下ハジキ
１１ａ  親骨
１１ｂ  親骨
１３  受骨
１５  上ロクロ
１７  露先
１９  縁部
２１  閉じひも
【図１】
0003136850.tif 000003
【図２】
0003136850.tif 000004
【図３】
0003136850.tif 000005
【図４】
0003136850.tif 000006
【図５】
0003136850.tif 000007
【図６】
0003136850.tif 000008
【図７】
0003136850.tif 000009